(57)【特許請求の範囲】
【請求項１】
四角柱状の誘電体片と、この誘電体片の天面から両側面へ延設されて互いに平行に延びる一対の導電路と、これら導電路の端部に接続された電極部とを備え、前記導電路が前記誘電体片の両側面から底面へ延設されていることを特徴とする方向性結合器。
【請求項２】
請求項１の記載において、前記電極部を前記誘電体片の底面で前記導電路と接続したことを特徴とする方向性結合器。
【請求項３】
請求項２の記載において、前記電極部を前記誘電体片の両側面に沿って底面から天面へ延設したことを特徴とする方向性結合器。
【請求項４】
請求項１〜３のいずれかの記載において、前記導電路を前記誘電体片の溝内に設けたことを特徴とする方向性結合器。
【発明の詳細な説明】
【０００１】
【発明の属する技術分野】
本発明は、携帯電話などに組み込まれて使用されるチップ型の方向性結合器に関する。
【０００２】
【従来の技術】
携帯電話などの無線通信機器に組み込まれているチップ型の方向性結合器は、マイクロストリップラインや結合線路とも称される一対の導電路を有し、一方向に進むマイクロ波電力を取り出してその出力レベルを検出回路へ送出するという回路素子である。
【０００３】
図５はかかる方向性結合器の従来例を示す平面図、図６はその側面図である。これらの図に示す方向性結合器は、平板状の誘電体基板１上に互いに平行に延びる一対の導電路２，３を並設し、かつ、導電路２の両端部に接続した電極部４，５と導電路３の両端部に接続した電極部６，７とを誘電体基板１の側面に配設して概略構成されている。そして、例えば導電路２を主線路とし導電路３を副線路として使用する場合、図示せぬプリント基板上でパワーアンプとアンテナとの間に導電路２の電極部４，５を接続すると共に、導電路３の一方の電極部６を接地して他方の電極部７を図示せぬ検出制御回路に接続する。これにより、主線路である導電路２に投入された送信電力の出力レベルに応じた電力信号を、副線路である導電路３に発生させることができるので、この電力信号に基づき前記検出制御回路にて前記パワーアンプの出力調整を行って、送信電力を必要最小限のレベルに設定できるようになっている。
【０００４】
【発明が解決しようとする課題】
ところで、前述した従来の方向性結合器では、平板状の誘電体基板１の天面に印刷やスパッタリング等の手法を用いて一対の導電路２，３を形成しているが、これら帯状の導電路２，３は所望の結合度を確保するために、所定長以上の長さにわたって並設する必要があるため、誘電体基板１の長さ寸法を短く設計することが困難であった。それゆえ、この方向性結合器は、高密度実装に好適な小型化が図りにくいという問題点があった。
【０００５】
また、かかる従来の方向性結合器では、誘電体基板１上で一対の導電路２，３が空気を介して対向する構成になっているので、高い結合度が得にくいという問題点もあった。
【０００６】
【課題を解決するための手段】
本発明は、四角柱状の誘電体片を用い、その天面だけでなく側面や底面にも導電路を設けることとした。このようにすると、実装スペースの小なる誘電体片の異なる複数の表面に、所定長以上の長さにわたって一対の導電路を並設することができるため、方向性結合器の小型化が促進できる。
【０００７】
また、この誘電体片の表面に刻設した溝の内部に導電路を設けておけば、一対の導電路を誘電体を介して対向させることができるので、結合度を高めるうえで有利となる。
【０００８】
【発明の実施の形態】
本発明の方向性結合器では、四角柱状の誘電体片と、この誘電体片の天面から両側面へ延設されて互いに平行に延びる一対の導電路と、これら導電路の端部に接続された電極部とを備え、前記導電路が前記誘電体片の両側面から底面へ延設された構成とした。
【０００９】
このように構成される方向性結合器は、四角柱状の誘電体片が小さくても、その天面だけでなく両側面から底面にわたって延びる比較的長い導電路を設けることができるので、小型化して実装スペースを狭めても導電路に所定長以上の長さを確保することができる。
【００１０】
上記の構成において、電極部を誘電体片の底面で導電路と接続することが好ましく、この場合、底面に設けた電極部を誘電体片の両側面に沿って天面まで延設させると、誘電体片を上下逆にした状態でプリント基板上に実装することができる。
【００１１】
また、かかる構成において、前記導電路を前記誘電体片の表面の溝内に設けておけば、一対の導電路を誘電体を介して対向させることができるので、両導電路を空気を介して対向させる構成に比べて結合度が高まる。
【００１２】
【実施例】
実施例について図面を参照して説明すると、図１は本実施例に係る方向性結合器の斜視図、図２は該方向性結合器の平面図、図３は図２のＡ−Ａ線に沿う断面図、図４は該方向性結合器の底面図である。
【００１３】
これらの図に示す方向性結合器は、四角柱状の誘電体片１０と、この誘電体片１０の天面から両側面を経て底面の途中まで延びる互いに平行な一対の溝１１，１２内に形成された一対の導電路（結合線路）１３，１４と、誘電体片１０の四隅のうちの二つの隅部表面に沿って形成されて誘電体片１０の底面で導電路１３の端部１３ａ，１３ｂに接続されている電極部１５，１６と、誘電体片１０の四隅のうちの残り二つの隅部表面に沿って形成されて誘電体片１０の底面で導電路１４の端部１４ａ，１４ｂに接続されている電極部１７，１８とによって概略構成されている。
【００１４】
誘電体片１０は例えばセラミックからなり、その表面にレーザ加工を施して溝１１，１２が形成される。かかるレーザ加工において、溝１１と溝１２との間隔は全長にわたって所定の微小ギャップに保たれる。ただし、セラミックを焼成前のグリーンシートにプレス加工を施して溝１１，１２を形成しても良い。また、誘電体片１０を樹脂成形品となすことも可能である。
【００１５】
一対の導電路１３，１４は、例えば銀ペーストを溝１１，１２内に充填させることにより形成される。したがって、導電路１３，１４は溝１１，１２と同じく全長にわたって所定の微小ギャップを保ちつつ互いに平行に延びている。また、導電路１３の両端部１３ａ，１３ｂと導電路１４の両端部１４ａ，１４ｂは、図４に示すように誘電体片１０の底面に設けられている。
【００１６】
電極部１５〜１８は、銀ペーストもしくは銀・パラジウムペーストを誘電体片１０の表面に印刷して形成される。これらの電極部１５〜１８はいずれも、誘電体片１０の天面の隅部から下方の側面を経て底面まで形成されている。そして、この誘電体片１０の底面において、電極部１５，１６がそれぞれ導電路１３の端部１３ａ，１３ｂに接続され、電極部１７，１８がそれぞれ導電路１４の端部１４ａ，１４ｂに接続されている。
【００１７】
このように構成された方向性結合器は、四角柱状の誘電体片１０の天面から両側面および底面にわたって延びる比較的長い導電路１３，１４を形成することができるので、誘電体片１０が小さくても導電路１３，１４に所定長以上の長さを確保することができる。それゆえ、この方向性結合器は広い実装スペースを必要とせず、小型化を促進するうえで極めて有利である。
【００１８】
また、この方向性結合器は、誘電体片１０の表面の溝１１，１２の内部に導電路１３，１４が設けてあるので、図３に明らかなように、一対の導電路１３，１４が誘電体を介して対向している。したがって、両導電路１３，１４を空気を介して対向させる構成に比べて結合度が高まっており、溝１１，１２の深さを増すことで結合度をより一層高めることも可能である。また、その結果として、導電路１３，１４間のギャップを極端に狭めなくても所望の結合度が得やすくなるので製造コストが低減できる。
【００１９】
なお、上述した方向性結合器は、例えば導電路１３を主線路とし導電路１４を副線路として使用する場合、図示せぬプリント基板上でパワーアンプとアンテナとの間に導電路１３に接続された電極部１５，１６を接続すると共に、導電路１４に接続されている一方の電極部１７を接地して他方の電極部１８を図示せぬ検出制御回路に接続する。これにより、主線路である導電路１３に投入された送信電力の出力レベルに応じた電力信号を、副線路である導電路１４に発生させることができるので、この電力信号に基づき前記検出制御回路にて前記パワーアンプの出力調整を行って、送信電力を必要最小限のレベルに設定できるようになっている。その際、方向性結合器を誘電体片１０の天面が上を向くようにプリント基板上に載置し、誘電体片１０の底面に延設された各電極部１５，１６，１７，１８をプリント基板の対応するランドに半田付けすることができるが、その逆に、方向性結合器を誘電体片１０の底面が上を向くようにプリント基板上に載置し、誘電体片１０の天面に延設された各電極部１５，１６，１７，１８をプリント基板のランドに半田付けすることも可能である。
【００２０】
【発明の効果】
本発明は、以上説明したような形態で実施され、以下に記載されるような効果を奏する。
【００２１】
四角柱状の誘電体片を用い、その天面だけでなく側面や底面にも導電路を設けた方向性結合器なので、実装スペースの小なる誘電体片の表面に所定長以上の長さにわたって一対の導電路を並設することができ、小型化が促進できる。
【００２２】
また、この誘電体片の表面に刻設した溝の内部に導電路を設けておけば、一対の導電路を誘電体を介して対向させることができるので、結合度を高めるうえで有利となる。
【図面の簡単な説明】
【図１】本発明の一実施例に係る方向性結合器の斜視図である。
【図２】該方向性結合器の平面図である。
【図３】図２のＡ−Ａ線に沿う断面図である。
【図４】該方向性結合器の底面図である。
【図５】従来の方向性結合器を示す平面図である。
【図６】図５に示す方向性結合器の側面図である。
【符号の説明】
１０  誘電体片
１１，１２  溝
１３，１４  導電路（結合線路）
１３ａ，１３ｂ，１４ａ，１４ｂ  端部
１５，１６，１７，１８  電極部
【図１】
0003660539.tif 000002
【図２】
0003660539.tif 000003
【図３】
0003660539.tif 000004
【図４】
0003660539.tif 000005
【図５】
0003660539.tif 000006
【図６】
0003660539.tif 000007